(57)【要約】【課題】広範囲の塗布を行う場合の所要時間を短縮できる塗布容器を提供する。【解決手段】塗布容器１は、外部からの押込み操作によって容積を減少可能な内容液Ｃの収容空間Ｓを内部に区画するとともに収容空間Ｓに連なる筒状の口部２ａを有する容器９と、口部２ａから延在する筒状のロッド４ｃと、ロッド４ｃの先端部に連結するとともに内容液Ｃを塗布する含浸体６を保持するヘッド１８と、収容空間Ｓ内からロッド４ｃの内部を通って含浸体６まで延在する吸上げ芯７と、を備え、ロッド４ｃの内周面には、内容液Ｃの流路となる少なくとも１つの溝１７が設けられている。【選択図】図１
2020036629.tif 000002
【特許請求の範囲】
【請求項１】
外部からの押込み操作によって容積を減少可能な内容液の収容空間を内部に区画するとともに前記収容空間に連なる筒状の口部を有する容器と、
前記口部から延在する筒状のロッドと、
前記ロッドの先端部に連結するとともに前記内容液を塗布する含浸体を保持するヘッドと、
前記収容空間内から前記ロッドの内部を通って前記含浸体まで延在する吸上げ芯と、を備え、
前記ロッドの内周面には、前記内容液の流路となる少なくとも１つの溝が設けられている、
塗布容器。
【請求項２】
前記少なくとも１つの溝は、それぞれ、直線状である、請求項１に記載の塗布容器。
【請求項３】
前記少なくとも１つの溝は、それぞれ、前記ロッドの先端部まで延在する、請求項１又は２に記載の塗布容器。
【請求項４】
前記ヘッドは、前記吸上げ芯が挿入されるとともに前記吸上げ芯の外周面が全周に亘って接する挿入口を有する、請求項１〜３のいずれか一項に記載の塗布容器。
【請求項５】
前記容器は、前記収容空間を区画する容器本体と、前記容器本体を収容するとともに前記容器本体より高い剛性を有する外容器と、で構成され、
前記外容器は、切欠きによって形成された押込み操作片を有する、
請求項１〜４のいずれか一項に記載の塗布容器。
【請求項６】
前記ヘッドは櫛歯を備える、請求項１〜５のいずれか一項に記載の塗布容器。
【請求項７】
前記内容液は毛髪塗布剤である、請求項１〜６のいずれか一項に記載の塗布容器。
【発明の詳細な説明】
【技術分野】
【０００１】
本発明は、塗布容器に関する。
【背景技術】
【０００２】
染毛剤などの内容液を塗布する含浸体を保持するヘッドを備えた塗布容器が知られている。このような塗布容器は、内容液の収容空間に連なる口部を有する容器と、口部から延在するとともにヘッドが連結された先端部を有する筒状のロッドと、収容空間内からロッドの内部を通って含浸体まで延在する吸上げ芯と、を備えている。例えば特許文献１に記載される塗布容器は、ヘッドに櫛歯が設けられており、頭髪を櫛歯で梳きながら染毛剤を斑無く塗布できるように構成されている。
【先行技術文献】
【特許文献】
【０００３】
【特許文献１】実開昭６０−２１２０３号公報
【発明の概要】
【発明が解決しようとする課題】
【０００４】
しかし、特許文献１に記載されるような塗布容器は、塗布時に含浸体に含浸された内容液が減少し、塗布が困難になった際に、収容空間内の内容液が吸上げ芯を通じて再び含浸体に浸透するまで待つ必要があるため、広範囲の塗布を行う場合の所要時間に改善の余地がある。
【０００５】
本発明は、このような点に鑑み、広範囲の塗布を行う場合の所要時間を短縮できる塗布容器を提供することを目的とする。
【課題を解決するための手段】
【０００６】
本発明の一態様に係る塗布容器は、
外部からの押込み操作によって容積を減少可能な内容液の収容空間を内部に区画するとともに前記収容空間に連なる筒状の口部を有する容器と、
前記口部から延在する筒状のロッドと、
前記ロッドの先端部に連結するとともに前記内容液を塗布する含浸体を保持するヘッドと、
前記収容空間内から前記ロッドの内部を通って前記含浸体まで延在する吸上げ芯と、を備え、
前記ロッドの内周面には、前記内容液の流路となる少なくとも１つの溝が設けられている。
【０００７】
本発明に係る塗布容器は、前記少なくとも１つの溝が、それぞれ、直線状であってもよい。
【０００８】
本発明に係る塗布容器は、前記少なくとも１つの溝が、それぞれ、前記ロッドの先端部まで延在してもよい。
【０００９】
本発明に係る塗布容器は、前記ヘッドが、前記吸上げ芯が挿入されるとともに前記吸上げ芯の外周面が全周に亘って接する挿入口を有してもよい。
【００１０】
本発明に係る塗布容器は、
前記容器が、前記収容空間を区画する容器本体と、前記容器本体を収容するとともに前記容器本体より高い剛性を有する外容器と、で構成されてもよく、
前記外容器が、切欠きによって形成された押込み操作片を有してもよい。
【００１１】
本発明に係る塗布容器は、前記ヘッドが櫛歯を備えてもよい。
【００１２】
本発明に係る塗布容器は、前記内容液が毛髪塗布剤であってもよい。
【発明の効果】
【００１３】
本発明によれば、広範囲の塗布を行う場合の所要時間を短縮できる塗布容器を提供することができる。
【図面の簡単な説明】
【００１４】
【図１】本発明の一実施形態に係る塗布容器を示す一部断面側面図である。
【図２】図１の一部拡大図である。
【図３】図２の矢印Ａの方向から視た平面図である。
【図４】図２の矢印Ｂの方向から視た一部断面平面図である。
【図５】図１に示す塗布容器の使用時の状態を示す一部断面側面図である。
【発明を実施するための形態】
【００１５】
以下、図面を参照して、本発明の実施形態に係る塗布容器について詳細に例示説明する。
【００１６】
図１〜図２に示すように、本実施形態に係る塗布容器１は、容器本体２、外容器３、櫛本体部材４、櫛歯部材５、含浸体６、吸上げ芯７及びキャップ８で構成されている。また、容器本体２と外容器３とで、容器９が構成されている。しかし、塗布容器１を構成する部材の数は適宜変更が可能である。
【００１７】
容器本体２は、中心軸線Ｏを中心とする円筒状の口部２ａと、口部２ａの下端縁部から径方向外側に延在する円環状の肩部２ｂと、肩部２ｂの外周縁部から垂下する有底円筒状をなす胴部２ｃと、を備えている。したがって、容器本体２は、口部２ａに連なる内容液Ｃの収容空間Ｓを内部に区画している。口部２ａの外周面には、櫛本体部材４を口部２ａに取付ける係合部１０が設けられている。係合部１０は、櫛本体部材４の取付け筒４ａの内周面への係止によって櫛本体部材４を口部２ａに取付けるように構成されているが、係止に替え、例えば螺合によって櫛本体部材４を口部２ａに取付けるように構成されてもよい。口部２ａの外周面における係合部１０より下方の部分には、周方向に間隔を空けて配置された４つの周方向リブ１１が設けられている。胴部２ｃは、収容空間Ｓの容積を減少させるように変形可能な可撓性を有している。
【００１８】
なお、本実施形態において、上方とは、口部２ａの軸方向（中心軸線Ｏに沿う方向）に沿って胴部２ｃから口部２ａに向かう方向（図１における上方）を意味し、下方とはその反対方向を意味する。
【００１９】
内容液Ｃは、染毛剤などの毛髪塗布剤である。したがって、塗布容器１は、頭髪などの毛髪に毛髪塗布剤を塗布する毛髪用塗布容器として構成されている。しかし、内容液Ｃは毛髪塗布剤に限られず、例えば、毛髪塗布剤以外の化粧料であってもよい。
【００２０】
外容器３は、容器本体２を収容するとともに容器本体２より高い剛性を有している。外容器３は、胴部２ｃを覆う円筒状の周壁３ａと、周壁３ａの上端縁部から径方向内側に延在する円環状をなすとともに肩部２ｂを覆う肩壁３ｂと、を備えている。肩壁３ｂの内周縁部には、周方向に間隔を空けて配置された４つの回転規制凸部１２が設けられている。４つの回転規制凸部１２は、それぞれ、互いに隣接する２つの周方向リブ１１の間に配置されている。したがって、４つの回転規制凸部１２は、中心軸線Ｏを中心とする容器本体２に対する外容器３の回転を規制可能に４つの周方向リブ１１と係合している。なお、回転規制凸部１２及び周方向リブ１１の数は４つに限られず、適宜変更が可能である。また、回転規制凸部１２及び周方向リブ１１を設けない構成としてもよい。
【００２１】
周壁３ａには、Ｕ字状の切欠きによって形成された押込み操作片１３が設けられている。押込み操作片１３は、中心軸線Ｏを挟んで、櫛歯部材５が有する櫛歯５ａと反対の側に１つだけ設けられている。なお、図１〜図２においては、説明の便宜上、押込み操作片１３の平面図を、実際とは９０°ずれた位置に示している。押込み操作片１３の基端部には、薄肉に形成されたヒンジ１３ａが設けられている。したがって、押込み操作片１３は、外部からの押込み操作を受けることで、ヒンジ１３ａを介して内部に向けて回動し、胴部２ｃを内部に向けて押圧して変形させ、収容空間Ｓの容積を減少させることができる（図５参照）。なお、押込み操作片１３は先端部が上方を向いている（すなわち、押込み操作片１３の先端部が押込み操作片１３の上端部に位置している）が、押込み操作片１３の向きは適宜変更が可能である。また、押込み操作片１３を形成する切欠きの形状はＵ字状に限られない。
【００２２】
櫛本体部材４は、口部２ａに取付けられる円筒状の取付け筒４ａを備えている。取付け筒４ａの内周面には、係合部１０と係合する被係合部１４が設けられている。取付け筒４ａの外周面には、キャップ８を取付け筒４ａに着脱可能に取付けるキャップ係合部１５が設けられている。キャップ係合部１５は、キャップ８の筒壁８ａへの螺合によってキャップ８を取付け筒４ａに着脱可能に取付けるように構成されているが、螺合に替え、例えば係止によってキャップ８を取付け筒４ａに着脱可能に取付けるように構成されてもよい。取付け筒４ａの外周面におけるキャップ係合部１５より上方の部分には、キャップ８に全周に亘って密接する円環状のＯリング１６が保持されている。
【００２３】
取付け筒４ａの上端縁部には、円環状の内向きフランジ４ｂの外周縁部が一体に連結している。内向きフランジ４ｂの底面は口部２ａの上端面に接している。内向きフランジ４ｂの内周縁部には、中心軸線Ｏを中心とし、上方に向けて漸次縮径する筒状をなすロッド４ｃの下端縁部が一体に連結している。このように、ロッド４ｃは、口部２ａから中心軸線Ｏに沿って上方に延在している。ロッド４ｃの下端縁部には、口部２ａの内周面に全周に亘って密接するシール筒４ｄが垂設されている。ロッド４ｃの内周面には、内容液Ｃの流路となる１つの溝１７が設けられている。溝１７は、ロッド４ｃの下部からロッド４ｃの上端部（先端部）まで延在する直線状であり、中心軸線Ｏを挟んで櫛歯５ａと反対の側に設けられている。しかし、溝１７の配置、数、形状等は適宜変更が可能である。溝１７の数は２つ以上であってもよい。溝１７は、直線状に限られず、例えば螺旋状であってもよい。溝１７は、ロッド４ｃの先端部まで延在していなくてもよい。
【００２４】
ロッド４ｃの先端部には、ヘッド１８の下部が連結している。図２〜図４に示すように、ヘッド１８は、内容液Ｃを塗布する略平面状の前面（ヘッド前面）１８ａと、ヘッド前面１８ａと平行な略平面状の後面（ヘッド後面）１８ｂと、ヘッド前面１８ａとヘッド後面１８ｂとを連結する環状の周面（ヘッド周面）１８ｃと、を有している。ヘッド前面１８ａは、トラック形状であり、その長手方向中心軸線Ｘ１が中心軸線Ｏと鋭角をなすように交差し、短手方向中心軸線Ｘ２が中心軸線Ｏと垂直な平面上に位置している。ヘッド前面１８ａは、その中央に、含浸体６を露出させる長方形状の開口１９を有している。開口１９の長手方向中心軸線は長手方向中心軸線Ｘ１と一致し、開口１９の短手方向中心軸線は短手方向中心軸線Ｘ２と一致している。ロッド４ｃの先端部は、ヘッド後面１８ｂとヘッド周面１８ｃとで構成される部分における下部に連結している。なお、ヘッド前面１８ａの形状は、トラック形状に限られず、例えば、楕円形状、卵形状、長方形状、正方形状、円形状等であってもよい。また、開口１９の形状は、長方形状に限られず、例えば、トラック形状、楕円形状、卵形状、正方形状、円形状等であってもよい。ヘッド前面１８ａの配置（向き）は、適宜変更が可能である。ヘッド前面１８ａは、中心軸線Ｏと直交する平面に沿うように配置されてもよい。
【００２５】
櫛本体部材４は、ロッド４ｃの先端部に一体に連結するとともにヘッド後面１８ｂを構成するヘッド後壁４ｅを有している。ヘッド後壁４ｅは、円柱状の吸上げ芯７の先端部が挿入されるとともに吸上げ芯７の外周面が全周に亘って接する挿入口２０を有するトラック形状の板状をなしている。ヘッド後壁４ｅの外周縁部には、ヘッド周面１８ｃに沿って延在するヘッド後周壁４ｆの基端部（後端部）が一体に連結している。ヘッド後周壁４ｆは、後端側部分４ｆ１と前端側部分４ｆ２とからなるトラック形状の２段筒状をなしている。後端側部分４ｆ１の外周面における上端部は、当該上端部から内側に延在する環状の段部を介して前端側部分４ｆ２の外周面における下端部に接続しており、後端側部分４ｆ１の内周面は前端側部分４ｆ２の内周面と略面一となっている。前端側部分４ｆ２の外周面には、櫛歯部材５を櫛本体部材４に取付ける櫛歯部材係合部２１が設けられている。櫛歯部材係合部２１は、櫛歯部材５のヘッド前周壁５ｂの外側部分５ｂ１への係止によって櫛歯部材５を櫛本体部材４に取付けるように構成されている。
【００２６】
櫛歯部材５は、ヘッド周面１８ｃに沿って延在するヘッド周壁をヘッド後周壁４ｆと協働して構成するヘッド前周壁５ｂを有している。ヘッド前周壁５ｂは、外側部分５ｂ１と内側部分５ｂ２とからなるトラック形状の２重筒状をなしている。外側部分５ｂ１の内周面には、櫛歯部材係合部２１と係合する櫛歯部材被係合部２２が設けられている。外側部分５ｂ１の外周面は、ヘッド後周壁４ｆの後端側部分４ｆ１の外周面と面一となっている。内側部分５ｂ２の外周面は、ヘッド後周壁４ｆの内周面に全周に亘って密接している。内側部分５ｂ２の内周面は、長方形状の開口１９の長辺と面一となる一対の平面部を有している。また、内側部分５ｂ２の内周面は、長方形状の開口１９の短辺より外側に位置する一対の円弧状の曲面部を有している。
【００２７】
ヘッド前周壁５ｂの基端部（前端部）は、ヘッド前面１８ａを構成するトラック形状の板状をなすヘッド前壁５ｃに一体に連結している。ヘッド前壁５ｃの中央には、開口１９が設けられている。ヘッド前壁５ｃは、長方形状の開口１９の短辺に隣接するとともにヘッド前周壁５ｂの内側部分５ｂ２の内周面（一対の円弧状の曲面部）より内側に位置する一対の庇部５ｃ１を有している。ヘッド前壁５ｃの後面は、ヘッド後周壁４ｆの前端側部分４ｆ２の前端面に接している。ヘッド前壁５ｃの前面には、櫛歯５ａが設けられている。櫛歯５ａは、開口１９を包囲するトラック形状の軌道に沿って全周に亘って等間隔を空けて１列に並ぶ複数（本実施形態では１４個）の突起で構成されている。櫛歯５ａを構成する複数の突起は、それぞれ、半球状の先端部を有する円柱状をなしている。なお、櫛歯５ａを構成する突起の数、形状、配置等は、適宜変更が可能である。
【００２８】
含浸体６は、スポンジ又は不織布などの吸液性材料で構成されている。含浸体６は、長手方向中心軸線Ｘ１と短手方向中心軸線Ｘ２との両方と直交する前後方向中心軸線Ｘ３を有する、本体部６ａと突出部６ｂとからなる２段直柱状をなしている。本体部６ａは、トラック形状の底面を有する柱状をなし、突出部６ｂは四角柱状をなしている。本体部６ａの底面（後面）は、ヘッド後壁４ｅに接している。本体部６ａの周面は、ヘッド前周壁５ｂの内側部分５ｂ２の内周面に沿って延在している。本体部６ａの前面には、庇部５ｃ１に接する半円形状の一対の段差面６ａ１が設けられている。したがって、含浸体６は、一対の段差面６ａ１と一対の庇部５ｃ１との係合により、ヘッド１８の内部に保持されている。突出部６ｂは、周面が長方形状の開口１９に沿って延在している。突出部６ｂの前面６ｂ１は、ヘッド前面１８ａから飛び出しており、内容液Ｃを良好に塗布することができる。含浸体６の後面には、吸上げ芯７の上端部が挿入される挿入凹部６ｃが設けられている。なお、挿入凹部６ｃを設けずに、含浸体６の後面の弾性変形によって吸上げ芯７の上端部が含浸体６の内部に突入する構成としてもよい。
【００２９】
吸上げ芯７は、スポンジ又は不織布などの吸液性材料で構成されている。吸上げ芯７は、含浸体６と同一又は異なる材料で構成することができる。また、吸上げ芯７を含浸体６と一体に成形してもよい。吸上げ芯７は、中心軸線Ｏを中心とする長尺状の円柱状である。吸上げ芯７の下端部は容器９の胴部２ｃの底壁に接している。吸上げ芯７は、収容空間Ｓ内からロッド４ｃの内部を通って含浸体６まで延在している。したがって、吸上げ芯７は、収容空間Ｓ内の内容液Ｃを吸収して含浸体６まで吸い上げ、含浸体６に含浸させることができる。
【００３０】
キャップ８は、中心軸線Ｏを中心とする円筒状の筒壁８ａを備えている。筒壁８ａの内周面には、キャップ係合部１５と係合するキャップ被係合部２３が設けられている。筒壁８ａの上端部は円板状の天壁８ｂの外周縁部に一体に連結している。キャップ８は、ヘッド１８とロッド４ｃとを内部に収容した状態で取付け筒４ａに着脱可能に取付けられている。
【００３１】
容器本体２は、合成樹脂のブロー成形によって形成することができる。外容器３、櫛本体部材４及びキャップ８は、それぞれ、合成樹脂の射出成形によって形成することができる。櫛歯５ａは、合成樹脂、ゴム又はエラストマーの射出成形によって形成することができる。Ｏリング１６は、ゴム又はエラストマーの射出成形によって形成することができる。なお、これらの材料及び製法は適宜変更が可能である。
【００３２】
塗布容器１の使用に際しては、使用者は、キャップ８を取外し、外容器３を把持して毛髪を櫛歯５ａで梳きながら、毛髪に含浸体６の前面６ｂ１で内容液Ｃを斑無く塗布することができる。また、このとき、容器９が容器本体２より高い剛性を有する外容器３を備えているので、把持部の剛性を確保して良好な操作性を得ることができる。
【００３３】
また、塗布時に含浸体６に含浸された内容液Ｃが減少し、塗布が困難になった際には、使用者は、図５に示すように、塗布容器１を横倒し状態にして押込み操作片１３を指で押込み操作することで、収容空間Ｓの容積を減少させて、収容空間Ｓ内から押出される内容液Ｃを直線状の流路となる溝１７を通じて吸上げ芯７の先端部まで速やかに到達させ、吸上げ芯７の先端部を介して含浸体６に浸透させることができる。したがって、収容空間Ｓ内の内容液Ｃが吸上げ芯７を通じて再び含浸体６に浸透するまで待つ必要がないので、広範囲の塗布を行う場合の所要時間を短縮することができる。また、このとき、ヘッド１８は、吸上げ芯７の先端部における外周面が全周に亘って接する挿入口２０を有しているため、押し出された内容液Ｃが含浸体６に勢い良く流入することが防止され、含浸体６からの内容液Ｃの垂れ落ちを抑制することができる。
【００３４】
前述した本実施形態は、本発明の実施形態の一例にすぎず、発明の要旨を逸脱しない範囲で種々変更可能であることはいうまでもない。
【００３５】
前記の実施形態では、容器本体２と外容器３とで容器９を構成している。しかし、外容器３を設けずに、容器本体２のみで容器９を構成してもよい。容器９及びキャップ８の形状も適宜変更が可能である。
【符号の説明】
【００３６】
１  塗布容器
２  容器本体
２ａ  口部
２ｂ  肩部
２ｃ  胴部
３  外容器
３ａ  周壁
３ｂ  肩壁
４  櫛本体部材
４ａ  取付け筒
４ｂ  内向きフランジ
４ｃ  ロッド
４ｄ  シール筒
４ｅ  後壁
４ｆ  ヘッド後周壁
４ｆ１  後端側部分
４ｆ２  前端側部分
５  櫛歯部材
５ａ  櫛歯
５ｂ  ヘッド前周壁
５ｂ１  外側部分
５ｂ２  内側部分
５ｃ  ヘッド前壁
５ｃ１  庇部
６  含浸体
６ａ  本体部
６ａ１  段差面
６ｂ  突出部
６ｂ１  前面
６ｃ  挿入凹部
７  吸上げ芯
８  キャップ
８ａ  筒壁
９  容器
１０  係合部
１１  周方向リブ
１２  回転規制凸部
１３  押込み操作片
１３ａ  ヒンジ
１４  被係合部
１５  キャップ係合部
１６  Ｏリング
１７  溝
１８  ヘッド
１８ａ  ヘッド前面
１８ｂ  ヘッド後面
１８ｃ  ヘッド周面
１９  開口
２０  挿入口
２１  櫛歯部材係合部
２２  櫛歯部材被係合部
２３  キャップ被係合部
Ｏ  中心軸線
Ｃ  内容液
Ｓ  収容空間
Ｘ１  長手方向中心軸線
Ｘ２  短手方向中心軸線
Ｘ３  前後方向中心軸線
【図１】
2020036629.tif 000003
【図２】
2020036629.tif 000004
【図３】
2020036629.tif 000005
【図４】
2020036629.tif 000006
【図５】
2020036629.tif 000007